(57)【要約】      （修正有）【課題】文字板を法線方向から見た平面視において、省スペース化することにより多機能化を容易にする時計のムーブメントを提供する。【解決手段】時計のムーブメントは、日表示のための日星車６３と、日星車６３を送るための日回し車６２と、月齢表示のための月齢車４０と、月齢車４０を回すための月齢回し車５２を備えるとともに、日星車６３と月齢車４０を同軸に配置し、かつ、日回し車６２と月齢回し車５２を同軸に配置する。【選択図】図１０
2018205133.tif 000002
【特許請求の範囲】
【請求項１】
第一の表示のための第一の表示車と、
第二の表示のための第二の表示車と、
前記第一の表示車に係合して回転させる第一の回し車と、
前記第二の表示車に係合して回転させる第二の回し車と、を備え、
前記第一の表示車と前記第二の表示車は同軸に配置され、
前記第一の回し車と前記第二の回し車は同軸に配置される、
ことを特徴とする時計のムーブメント。
【請求項２】
前記第一の表示車と前記第二の表示車の間に設けられる第一の押さえ部材と、
前記第二の表示車を表面側から押さえるための第二の押さえ部材と、
を備え、
前記第二の表示車は、前記第一の押さえ部材に設けられた案内部によって前記第一の押さえ部材と前記第二の押さえ部との間に、前記第一の表示車と同軸に案内され、前記第一の表示車と軸方向おいて離間して配置されるとともに、
前記第一の表示車と前記第二の表示車は個別に回動することを特徴とする請求項１に記載の時計のムーブメント。
【請求項３】
前記第二の表示車の前記第一の押さえ部材側に、前記第一の押さえ部材及び前記第二の表示車の少なくともいずれかと摺動可能に設けられる第二の表示車案内座を備え、
前記第一の押さえ部材は、軸方向に突出させて前記第一の表示車と同軸の円筒状に設けられる前記案内部としての筒部を有し、
前記第二の表示車案内座は、前記筒部によって前記第一の表示車と同軸に案内され、
前記第二の表示車は、前記第二の表示車案内座に同軸に取付けられることを特徴とする請求項２に記載の時計のムーブメント。
【請求項４】
前記第一の回し車又は前記第二の回し車の一方に、軸方向に突出して形成されたダボを有し、  
前記第一の回し車又は前記第二の回し車の他方に、前記ダボを挿入するためのダボ受入孔を有し、
前記第一の回し車と前記第二の回し車とは、前記ダボが前記ダボ受入孔に挿入され、
前記第一の回し車及び前記第二の回し車のいずれか一方に他の歯車と?み合うための歯型部が設けられることを特徴とする請求項１から請求項３までのいずれか１項に記載の時計のムーブメント。
【請求項５】
伝えレバー本体板部及び押圧部材により押圧される受け部を有し、第一の固定部材を回動軸として軸方向に対して垂直に回動可能にムーブメントに設けられる修正伝えレバーと、
修正レバー本体板部及び前記第二の表示車の歯に接するための修正部を有し、第二の固定部材を回動軸として軸方向に対して垂直に回動可能にムーブメントに設けられる前記第二の表示車を回動させる修正レバーと、を備え、
前記修正伝えレバー又は前記修正レバーのうち一方に、その他方に向かって突出して設けられる係合部又は前記係合部と係合するための受け孔を有し、
前記伝えレバー本体板部及び前記修正レバー本体板部は、軸方向に垂直な面と平行に配置され、
前記修正伝えレバーの前記受け部が前記押圧部材により押圧され前記修正伝えレバーが回動することにより、前記修正レバーが回動し、前記修正レバーの前記修正部が前記第二の表示車の歯に接し、前記第二の表示車が回動させられることを特徴とする請求項１から請求項４までのいずれか１項に記載の時計のムーブメント。
【請求項６】
前記第一の回し車は、前記第一の表示車に係合するための第一の回し爪を有し、
前記第一の表示車が修正される際に前記第一の表示車の歯が前記第一の回し爪に接すると変形し、前記第一の回し車の回転を回避するための第一の弾性部を有し、
前記第二の回し車は、前記第二の表示車に係合するため第二の回し爪を有し、
前記第二の表示車が修正される際に前記第二の表示車の歯が前記第二の回し爪に接すると変形し、前記第二の回し車の回転を回避するための、第二の弾性部を有することを特徴とする請求項１から請求項５までのいずれか１項に記載の時計のムーブメント。
【請求項７】
部材を取付けるための凹凸を有し、ムーブメントの地板の表面側に取り付けられる第二地板を備える、
ことを特徴とする請求項１から請求項６までのいずれか１項に記載の時計のムーブメント。
【請求項８】
前記第一の表示は日付表示であり、前記第一の表示車は日星車であり、前記第一の回し車は日回し車であり、前記第二の表示は月齢表示であり、前記第二の表示車は月齢車であり、前記第二の回し車は月齢回し車である、
ことを特徴とする請求項１から請求項７までのいずれか１項に記載の時計のムーブメント。
【発明の詳細な説明】
【技術分野】
【０００１】
本発明は、時計のムーブメント関する。
【０００２】
従来の時計として、その駆動を行うためのムーブメントの基枠となる地板を備え、その地板に、日表示のための日星車と、日星車を回転させるための日回し車と、曜表示のための曜表示車と、その曜表示車を回転させるための曜回し車とが、それぞれ歯車ごとに地板に案内されているものがある（特許文献１参照）。
【先行技術文献】
【特許文献】
【０００３】
【特許文献１】特開２０１０−２４３１６０号公報
【発明の概要】
【発明が解決しようとする課題】
【０００４】
従来の時計として、時間表示のほかに、日表示機能、曜表示機能及び月齢表示機能等の多様な表示機能を付加することにより、時計の付加価値を向上させることが試みられている。そのためには、これらの表示車の駆動輪列を備える必要があるとともに、これらの表示車について独立した修正輪列も設けることが望ましい。しかしその修正対象の表示車が増えるたびに修正輪列を増やす必要があり、レイアウト上の制約が多かった。
【０００５】
本発明は、上述した事情に鑑みてなされたものであり、平面視おける省スペース化をすることで機能付加を容易とする時計のムーブメントを提供することを解決課題とする。
【課題を解決するための手段】
【０００６】
上述の課題を解決するため、本発明に係る時計のムーブメントの一態様は、第一の表示のための第一の表示車と、第二の表示のための第二の表示車と、前記第一の表示車に係合して回転させる第一の回し車と、前記第二の表示車に係合して回転させる第二の回し車と、を備え、前記第一の表示車と前記第二の表示車は同軸に配置され、前記第一の回し車と前記第二の回し車は同軸に配置される、ことを特徴とする。
【０００７】
上述した時計のムーブメントの一態様によれば、第一の表示車と第二の表示車とは同軸に配置され、第一の回し車と第二の回し車とが同軸に配置されるため、平面視において、これらの歯車が重なることで省スペース化が図られる。これにより、例えば、より多くの表示機能や部分スケルトンなど、付加価値向上のための機能又は装飾の追加が可能となる。
【０００８】
また、本発明に係る時計のムーブメントの一態様は、前記第一の表示車と前記第二の表示車の間に設けられる第一の押さえ部材と、前記第二の表示車を表面側から押さえるための第二の押さえ部材と、を備え、前記第二の表示車は、前記第一の押さえ部材に設けられた案内部によって前記第一の押さえ部材と前記第二の押さえ部との間に、前記第一の表示車と同軸に案内され、前記第一の表示車と軸方向おいて離間して配置されるとともに、前記第一の表示車と前記第二の表示車は個別に回動することを特徴とすることが好ましい。
上述した時計のムーブメントの一態様によれば、第一の表示車と第二の表示車とは、軸方向に離れて配置され、個別に回動することができるため、平面視における省スペース化に寄与することができる。
【０００９】
また、本発明に係る時計のムーブメントの一態様は、前記第二の表示車の前記第一の押さえ部材側に、前記第一の押さえ部材及び前記第二の表示車の少なくともいずれかと摺動可能に設けられる第二の表示車案内座を備え、前記第一の押さえ部材は、軸方向に突出させて前記第一の表示車と同軸の円筒状に設けられる前記案内部としての筒部を有し、前記第二の表示車案内座は、前記筒部によって前記第一の表示車と同軸に案内され、前記第二の表示車は、前記第二の表示車案内座に同軸に取付けられることが好ましい。
【００１０】
また、本発明に係る時計のムーブメントの一態様は、前記第二の表示車の前記第一の押さえ部材側に、前記第一の押さえ部材及び前記第二の表示車の少なくともいずれかと摺動可能に設けられる第二の表示車案内座を備え、前記第一の押さえ部材は、軸方向に突出させて前記第一の表示車と同軸の円筒状に設けられる前記案内部としての筒部を有し、前記第二の表示車案内座は、前記筒部によって前記第一の表示車と同軸に案内され、前記第二の表示車は、前記第二の表示車案内座に同軸に取付けられることを特徴とすることが好ましい。
【００１１】
上述した時計のムーブメントの一態様によれば、第一の押さえ部材と第二の表示車案内座によって、第一の表示車と第二の表示車とは、軸方向に離れて配置されるため、個別に回動することができ、平面視における省スペース化に寄与することができる。
【００１２】
また、本発明に係る時計のムーブメントの一態様は、前記第一の回し車又は前記第二の回し車の一方に、軸方向に突出して形成されたダボを有し、前記第一の回し車又は前記第二の回し車の他方に、前記ダボを挿入するためのダボ受入孔を有し、前記第一の回し車と前記第二の回し車とは、前記ダボが前記ダボ受入孔に挿入され、前記第一の回し車及び前記第二の回し車のいずれか一方に他の歯車と?み合うための歯型部が設けられることが好ましい。
【００１３】
上述した時計のムーブメントの一態様によれば、歯型部が他の歯車（例えば日回し中間車）と?み合って回転力が伝達された際に、第一の回し車と第二の回し車は、ダボ及びダボ受入孔によって、回転力が伝達されて同時に回転することが可能となる。このため、第一の回し車と第二の回し車のいずれか一方に歯型部を設ければ、その他方の回し車は歯型部を設けて他の歯車と?み合わせて日回し中間車等から回転力を伝達される必要がなくなることにより、歯型部を設ける場合よりも軸方向に薄くすることが可能となる。また、ダボ又はダボ受入孔の位置を変更することで、第一の回し車と第二の回し車の相対位置を変更することができる。このため簡単に第一の回し車と第二の回し車との位相を調整できる。
【００１４】
上述した時計のムーブメントの一態様において、伝えレバー本体板部及び押圧部材により押圧される受け部を有し、第一の固定部材を回動軸として軸方向に対して垂直に回動可能にムーブメントに設けられる修正伝えレバーと、修正レバー本体板部及び前記第二の表示車の歯に接するための修正部を有し、第二の固定部材を回動軸として軸方向に対して垂直に回動可能にムーブメントに設けられる前記第二の表示車を回動させる修正レバーと、を備え、前記修正伝えレバー又は前記修正レバーのうち一方に、その他方に向かって突出して設けられる係合部又は前記係合部と係合するための受け孔を有し、前記伝えレバー本体板部及び前記修正レバー本体板部は、軸方向に垂直な面と平行に配置され、前記修正伝えレバーの前記受け部が前記押圧部材により押圧され前記修正伝えレバーが回動することにより、前記修正レバーが回動し、前記修正レバーの前記修正部が前記第二の表示車の歯に接し、前記第二の表示車が回動させられることが好ましい。
【００１５】
この態様によれば、伝えレバー本体板部及び修正レバー本体板部は、軸方向に垂直な面と平行に配置されるようにし、係合部が修正伝えレバーから、軸方向において位置の異なる修正レバーとの回転力を伝達するため、押圧部材により修正伝えレバー受け部が押圧されて、修正伝えレバーと修正レバーが軸方向と垂直な面において回動して第二の表示車を押す際に、押圧部材と第二の表示車が軸方向において位置に差があっても、修正伝えレバー及び修正レバーに軸方向にモーメントが発生することを抑制することができる。このため、修正伝えレバー及び修正レバーが傾くことによる動作不具合が起きることを防止することが可能となる。
【００１６】
上述した時計のムーブメントの一態様において、前記第一の回し車は、前記第一の表示車に係合するための第一の回し爪を有し、前記第一の表示車が修正される際に前記第一の表示車の歯が前記第一の回し爪に接すると変形し、前記第一の回し車の回転を回避するための第一の弾性部を有し、前記第二の回し車は、前記第二の表示車に係合するため第二の回し爪を有し、前記第二の表示車が修正される際に前記第二の表示車の歯が前記第二の回し爪に接すると変形し、前記第二の回し車の回転を回避するための、第二の弾性部を有することが好ましい。
【００１７】
この態様によれば、第一の弾性部及び第二の弾性部を設けたため、第一の表示車及び第二の表示車が修正されて、第一の回し爪及び第二の回し爪に接した場合でも、第一の弾性部及び第二の弾性部が弾性変形して第一の回し車及び第二の回し車に力が伝わることを回避する。このため、第一の回し車及び第二の回し車が修正によって破損することを防止することが可能となる。
【００１８】
上述した時計のムーブメントの一態様において、部材を取付けるための凹凸を有し、ムーブメントの地板の表面側に取り付けられる第二地板を備えることが好ましい。この態様によれば新たな部材を取付け可能な第二地板を設けることによって、時計のムーブメントの機能を拡張させることができる。
【００１９】
この態様によれば、部材を案内又は取り付けるための凹凸を備えた第二地板が備えられることにより、地板の変更をすることなしに、通常の押さえ部材よりも多様な部材を容易に取付けることが可能となり、多種の追加機能を付加することが可能となる。
【００２０】
上述した時計の一態様において、前記第一の表示は、日付表示であり、前記第一の表示車は、日星車であり、前記第一の回し車は、日回し車であり、前記第二の表示は、月齢表示であり、前記第二の表示車は、月齢車であり、前記第二の回し車は、月齢回し車であることが好ましい。
【００２１】
この態様によれば、前記第一の表示車は日星針とし、第二の表示車を月齢車としたため、時計に追加機能として、日表示及び月齢表示を加えることが可能となり、時計の付加価値を向上させることが可能となる。
【図面の簡単な説明】
【００２２】
【図１】本発明の実施形態に係るムーブメントを適用する時計表示部の平面図である。
【図２】本実施形態に係る時計のムーブメントの月齢ジャンパー及び日ジャンパーを取り外した状態の平面図である。
【図３】本実施形態の時計のムーブメントを示す斜視図である。
【図４】本実施形態の時計の地板等の構成部材の位置関係を示す斜視図である。
【図５】化粧板と月齢ジャンパーを取り外した状態のムーブメントの斜視図である。
【図６】日回し車及び月齢回し車を示す斜視図である。
【図７】図５から日ジャンパーを取り外した状態のムーブメントの斜視図である。
【図８】図７から第二地板を取り外したムーブメントの平面図である。
【図９】第二地板を裏面側から見た底面図である。
【図１０】ムーブメントの図２におけるＯ―Ｂ―Ｃ―Ｄ―Ｅ線断面図である。
【図１１】ムーブメントの図２におけるＯ−Ａ線断面図である。
【図１２】ムーブメントの図２におけるＯ−Ｇ線断面図である。
【図１３】月齢修正機構としての月齢修正伝えレバー及び月齢修正レバー並びにボタンを抜き出した図である。
【図１４】ボタン５５が押された状態の月齢修正伝えレバー５６及び月齢修正レバー５７と月齢車４０を示す図である。
【図１５】本実施形態に係る時計のムーブメントの月齢ジャンパー及び日ジャンパーを取り外した状態の平面図である。
【図１６】第二地板から表面側は、図１５における切断線Ｊ−Ｋによるムーブメント２の断面であり、第二地板の裏面側は図１５における切断線Ｊ―Ｌによる断面の図である。
【図１７】図１５における切断線Ｉ―Ｃによるムーブメントの断面図である。
【図１８】おしどりとかんぬきの位置関係を示した図である。
【図１９】おしどりと小鉄レバーの位置関係を示した図である。
【図２０】第二実施形態のムーブメントを備える時計の表示部の平面図である。
【図２１】第二実施形態の月齢ジャンパーを取り外した状態のムーブメント平面図である。
【図２２】第二実施形態のムーブメントの斜視図である。
【図２３】曜回し歯車、曜回し爪及び軸の斜視図である。
【図２４】第二実施形態の日ジャンパーを取外した状態のムーブメントの平面図である。
【図２５】図２１における切断線Ｍ−Ｏによるムーブメントの断面図である。
【図２６】図２１における切断線Ｐ−Ｌによるムーブメントの断面図である。
【図２７】日回し車をムーブメントに組込んだ状態を示す平面図である。
【図２８】曜回し車をムーブメントに組込んだ状態を示す平面図である。
【図２９】月齢案内座が日ジャンパーに固定される場合の実施形態におけるムーブメントの図２におけるＯ―Ｂ―Ｃ―Ｄ―Ｅ線断面図である。
【図３０】月齢案内座が月齢車と一体に回転する場合の実施形態におけるムーブメントの図２におけるＯ―Ｂ―Ｃ―Ｄ―Ｅ線断面図である。
【発明を実施するための形態】
【００２３】
＜第一実施形態＞
図１は、本発明の第一実施形態に係るムーブメント２が備えられる時計１の概略構成を示す図である。図１において図示は省略するが、時計１は、外装ケースと、カバーガラスと、裏蓋とを備えている。カバーガラスは、円盤状の文字板１０を覆うように外装ケースに取り付けられている。文字板１０は、ユーザーに情報を表示する表示部として時計１に備えられている。
【００２４】
文字板１０には、指針としての秒針１１，分針１２及び時針１３が設けられている。また、文字板１０は、６時位置に設けられた日付表示兼月齢表示のための小窓１４と、１２時位置に設けられた後述の香箱車７６の巻き残量を表示するパワーリザーブ針２４を備えたパワーリザーブのための小窓１５と、９時位置に設けられた部分スケルトン部１６を備える。
【００２５】
図１のとおり指針軸方向から文字板１０を見た平面視において、部分スケルトン部１６は、文字板１０の開口部１０Ａを通して地板４の裏面側（裏側）に配置される駆動部材としてのテンプ３６が上面から視認可能となっている。
【００２６】
小窓１４において、日指示針２２は日付を指標するための指針であり、目盛２１に表示される１から３１までの数字（本実施形態においては奇数のみを数字で表示し、偶数はドットで表示されている）を指標することにより、第一の表示としての日表示を行う。また、月齢表示部２３は、文字板１０の開口部１０Ｂを通して月の満ち欠けのように見せる月マーク４３を備えた月齢車４０が回転することによって、第二の表示としての月齢を表示する。
【００２７】
また、時計１には不図示の外装ケースの４時位置には、月齢修正のために使用されるボタン５５が取り付けられるとともに、３時方向の位置にリュウズ２５が備えられる。リュウズ２５が操作されることにより、時刻の修正、日の修正等が行われる。なお、本願において時計１の表面側とは、ユーザーによって情報が視認される表示部である文字板１０側であり、時計を構成する部品の方向を示す際に上面側と呼ぶことがある。裏面側とは、その逆側を意味する。平面視とは、文字板１０の表面を当該表面と垂直な方向から見ることを意味する。軸方向とは、筒車等の歯車の回転軸と平行な直線の方向を意味する。ボタン５５はその位置を説明上わかりやすく示すために図１のように示したが、ボタン５５の具体的形状については、図２に示すとおりとなる。また、ボタン５５のムーブメント接触部（ボタン機構のうち外部からの接触を受ける部分でボタン５５の最も外側）は、誤動作を防ぐために、不図示の外装ケースよりも引っ込んだ位置に設けられ、ボールペンなどの細長い部材で押圧する枕頭ボタンで構成することができる。
【００２８】
図２は第一の押さえ部材としての日ジャンパー６及び第二の押さえ部材としての月齢ジャンパー７を省略した状態のムーブメント２の平面図である。図３は、時計１のムーブメント２の斜視図である。ムーブメント２における地板４等の板状部材と文字板１０の位置関係を示す斜視図である。なお、図２においては切断線Ｏ−Ｂ−Ｄ−Ｅ−Ｆ等の位置を把握しやすくするために、日ジャンパー６及び月齢ジャンパー７を省略しているが、後述の図１０から図１２までの断面図は、これらを省略していないムーブメント２の断面図を示す。
【００２９】
本実施形態における時計１は、図４に示す通り、基枠となる地板４の上面側（表面側）に第二地板５が配置され、その第二地板５の上に第一の押さえ部材としての日ジャンパー６及び装飾部材としての化粧板８が配置され、更に日ジャンパー６の上に第二の押さえ部材としての月齢ジャンパー７が配置され、その月齢ジャンパー７の上に文字板１０が配置される。
【００３０】
図２のとおり、ムーブメント２は、日回し中間車７１と第一の表示車としての日星車６３を備えるとともに、図５のとおり、第二の表示車としての月齢車４０を備える。図２において、ムーブメント２は、香箱車７６の巻き量を指標するパワーリザーブ針２４を取付けるパワーリザーブ表示筒４５と、パワーリザーブ表示機構の構成要素であるパワーリザーブ伝え歯車４４を備える。また、図３のとおり、ムーブメント２は第二地板５の上面側に装飾部材としての化粧板８を備えるともに、その化粧板８とは上面視において別の領域に、第一の押え部材としての日ジャンパー６及び第二の押え部材としての月齢ジャンパー７が設けられる。図４のとおり、ムーブメント２は、第二地板５の裏面側にムーブメント２の基枠となる地板４を備えるとともに、地板４の裏面側にはテンプ３６が備えられる。また、図２の日回し中間車７１は、図８に示す筒車７０と一体に回転する。筒車７０は時針１３が取り付けられて１２時間で一回転する。
【００３１】
＜日星車＞
日星車６３について説明する。図７は、ムーブメント２から日ジャンパー６及び月齢ジャンパー７を取り外した状態を示す斜視図である。図１０は、図２のＯ―Ｂ―Ｃ―Ｄ―Ｅ切断線によるムーブメント２の断面図である。第二地板５により、日星車６３及び日回し車６２の位置決めされる。日星車６３は、その軸が第二地板５に設けられる案内孔５Ｂに挿入されて回転可能に取り付けられることにより平面方向及び軸方向に位置決めされる。また、日星車６３は、日ジャンパー６により上面側から軸方向に押えられて、位置決めをされる。日回し車６２は第二地板５に軸支された中心軸７５を回転軸にして回転可能に取り付けられることにより平面方向及び軸方向に位置決めされる。
【００３２】
日回し車６２の歯は、日回し中間車７１の歯と噛み合っており、日回し中間車７１が１日に２回転すると、日回し車６２が１回転するように設定さている。日回し車６２は、図６のとおり日回し爪６２Ｃを備え、この日回し爪６２Ｃが日星車６３の歯と係合して、日星車６３を一日につき一歯分回転させる。これにより日星車６３の軸に取付けられた日指示針２２が一日あたり一目盛分を進むことが可能となっている。なお、図４及び図５に示すように、日ジャンパー６には、躍制部６Ａが備えられ、日星車６３の歯部と係合し、日星車６３の回転方向の位置決めを行うとともに一日ごとに間欠的に回転可能となっている。
【００３３】
＜月齢車＞
月齢車４０について説明する。図１０において、ムーブメント２は、月齢車４０、月齢車案内座５４、月齢回し車５２を備える。第二の表示車案内座としての月齢車案内座５４は、日ジャンパー６に日星車６３と同軸になるように案内部として形成された筒部６Ｂにより位置決めされる。その月齢車案内座５４の立上り部５４Ａの外側で月齢車４０が摺動回転可能に位置決めがされる。月齢車４０の軸方向の位置決めは月齢車案内座５４と月齢ジャンパー７により行われる。日星車６３の軸５８は、日ジャンパー６上の筒部６Ｂと月齢車案内座５４の立上り部５４Ａの中を貫通することにより、日星車６３と、月齢車案内座５４及び月齢車４０が同軸になるように取り付けられる。この構成により、日星車６３と月齢車４０は軸方向に間をあけて配置され、互いに独立して回動可能である。また、日星車６３と月齢車４０を同軸に構成したため、前述の図１の小窓１４において、月齢車４０と、日指示針２２を同軸にし、月マーク４３、開口部１０Ｂ、日指示針２２等が軸方向に違う位置に配置され、奥行きのある立体的な表示が可能となり、装飾性を高めることができる。
【００３４】
＜月齢回し車及び日回し車＞
月齢回し車５２は、図１０のとおり、日回し車６２上に配置するとともに、第二地板５の案内孔５Ｃに軸支される中心軸７５を、日回し車６２と共通の回転軸として位置決めされ、図６に示す通り、日回し車６２のダボ６２Ｂをダボ受入孔５２Ｂに挿入して取り付ける。このようにして、月齢回し車５２は日回し車６２と同軸かつ同時に回転可能に取り付けられる。
【００３５】
月齢回し車５２は日回し車６２と同時に回転可能になるとともに、ダボ６２Ｂとダボ受入孔５２Ｂによって、月齢回し車５２及び日回し車６２の回転方向における相対位置が決定されるので、組立をする作業者が、月齢回し車５２及び日回し車６２の位相差（回転位置の差）を意識する必要がないため、日星車６３の送り位置と月齢車４０の送り位置の位相差も意識することなく、組立をすることが可能となっている。また従来は組立における針取り付け工程において、日針の切替わり後から月齢等の他の各表示車の切替りまでの時間（送り時間）を確認する作業が必要であったが、この構成により、本実施形態においては月齢回し車５２と日回し車６２の位相差は決まっているので、そのような各表示車の送り時間の確認作業を不要とすることが可能となるため、製造効率の向上が可能となる。
【００３６】
また、日回し車６２ダボ６２Ｂ及び月齢回し車５２のダボ受入孔５２Ｂのいずれかの位置を変更することで、月齢回し車５２及び日回し車６２の位相差を変更可能であるので、日星車６３及び月齢車４０の送り方向における送り位置を調整することが可能となる。すなわちダボ６２Ｂとダボ受入孔５２Ｂの位置によって、日針の切替わりのタイミングと月齢の切替わりのタイミングを調整することが容易となる。また、本実施形態においては、日針の切り替わりと、月齢の切り替わりは、同じタイミングに調整される。なお、軸方向の位置決めは、日回し車６２と月齢回し車５２との両部材を合わせて第二地板５と月齢ジャンパー７によりあがき（隙間）も含んで位置決めされる。
【００３７】
また、月齢回し車５２は、日回し中間車７１と歯型部６２Ｆにおいて噛み合っている日回し車６２からダボ６２Ｂにより回転力が伝達されて、日回し中間車７１が１日に２回転すると月齢回し車５２が１回転する。図６のとおり月齢回し車５２は月齢回し爪５２Ｃを備え、この月齢回し爪５２Ｃが月齢車４０の歯と係合して、月齢車４０を一日につき一歯分回転させることにより月マーク４３が一日分回転して進むことが可能となっている。月齢の一周期は約２９．５日であるところ、図３に示す通り、月齢車４０は月マーク４３を１８０度ごとに２つ有し、月齢の二周期分の５９日で一回転する。また、月齢ジャンパー７には、躍制部７Ａが備えられ、月齢車４０の歯部と係合し、月齢車４０の回転方向の位置決めを行うとともに一日ごとに間欠的に回転可能としている。図６のとおり、日回し車６２は、日回し中間車７１と?み合う歯型部６２Ｆを備えるが、月齢回し車５２は、そのような歯型部を備えない。月齢回し車５２は、日回し車６２からダボ６２Ｂにより回転力が伝達されて回転するため、歯型部が不要なためである。この構成により月齢回し車５２には日回し中間車７１と噛合わせる必要がなくなり、噛合い部を設ける必要がない事より月齢回し車５２の薄型化が可能となる。このため、ムーブメント２の薄型化に寄与することができる。なお、本実施形態においては、歯型部６２Ｆを日回し車６２に設けたが、歯型部は、日回し車６２又は月齢回し車２５のいずれか一方に設ければよく、月齢回し車２５のみに歯型部を設け、その月齢回し車２５の歯型部が日回し中間車７１に噛み合うようにしてもよい。なお、本実施形態においては、歯型部６２Fは、他の歯車として日回し中間車７１に噛み合うが、時刻表示輪列における別の歯車と?み合って回転力が伝達されるように構成してもよい。
【００３８】
＜地板、第二地板及び日ジャンパー等＞
地板４、第二地板５及び日ジャンパー６等の部材のどうしの固定構造について説明する。図７は、ムーブメント２から日ジャンパー６、月齢ジャンパー７及び化粧板８を取り外した状態の斜視図である。図８は、ムーブメント２から第二地板５を外した状態の平面図である。図７のねじ６１を第二地板５のねじ挿通孔（不図示）にねじを挿通させてねじ孔９３に螺合させることにより、第二地板５は地板４に固定される。なお、ねじ孔９３は、第二地板５に直接ねじ孔を切って形成してもよいし、ねじ孔を有する別部材を地板に取付けて設けてもよい。また、ねじ孔９３は、このように第二地板５を取付けるためのねじ孔となるとともに、第二地板５を取付けないで、それ以外の押さえ板等の従来の部材を時計に取り付けるねじ孔としても共通に使用できるようにしてもよい。このようなねじ孔９３の共通化により、第二地板５を付けるか否かによって、地板４の設計を変更する必要がないため、仕様変更を簡易に行うことが可能となる。
【００３９】
図５は、ムーブメント２から月齢ジャンパー７を取り外した状態の斜視図である。図５のねじ５１を日ジャンパー６のねじ挿通孔（不図示）にねじを挿通させて図７の第二地板５に設けたねじ孔９１に螺合させることにより、日ジャンパー６は第二地板５に固定される。
【００４０】
月齢ジャンパー７のムーブメント２への取付けは、図３のねじ４１と図５のねじ受け部材６８により行う。図１０のとおり、ねじ受け部材６８は、その下部６８Ｂを第二地板５に設けられるねじ受け用孔５Ｄに圧入してはめ込むことにより、第二地板５に固定される。次に月齢ジャンパー７は、ねじ受け部材６８上部の段部６８Ａとねじ４１により軸方向に位置決めされるとともに、ねじ４１によりねじ受け部材６８に固定される。なお、図１０の断面図で示した部分以外にも、図５のとおり、ねじ受け部材６８が３か所において取り付けられるが、ねじ受け部材６８が月齢ジャンパー７に取付けることが可能となるように日ジャンパー６に挿通孔又は切欠きを設けている。
【００４１】
図３のねじ４２を化粧板８のねじ挿通孔（不図示）にねじ４２を挿通させて図５の第二地板５のねじ孔９０に螺合させることにより、化粧板８が第二地板５へ固定される。図１３のとおり、地板４に文字板受リング１８（図２参照）が取り付けられ文字板受リング１８の上面側に文字板１０が設置される。文字板受リング１８及び文字板１０には不図示の外装ケースが取り付けられる。
【００４２】
図７において、第二地板５上には、第一の表示車である日星車６３と、日星車６３の修正輪列を構成するための日修正車６４，６５、カレンダー修正車６６、第二カレンダー修正車６７が設けられる。これらの歯車は、日ジャンパー６と第二地板５により軸方向の位置決めがされる。また、第二地板５はこれら日星車６３と日星車６３の修正輪列の位置決め回転軸とを案内する役割を有する。また、第二地板５は基枠として機能する地板４と同様に、歯車等の部材を案内や取り付けるための凹凸を備えればよく、本実施形態と異なる部材・輪列を取付けてもよい。また、この第二地板５を設けることで、地板４の設計変更を行わなくても第二地板５を追加又は変更して時計１を表示機構等の機能追加を行うことができ、比較的容易かつ多様に付加価値向上をすることが可能となる。また、第二地板５には、地板４と同等の部品を取付けることが可能であり、一般的な押さえ板よりも多様な部品を取付けることが可能である。本実施形態においては第二地板５を金属材料とし、金属材料である第二地板５にねじ孔を設けるが、第二地板５は金属製に限定されるものではなく、例えば、第二地板を樹脂製として、樹脂製の第二地板に別部材取付孔を備え、その取付孔にねじ孔を有する別部材を取付けてもよい。
【００４３】
＜月齢修正機構＞
月齢修正機構について説明する。図５は前述のとおり化粧板８と月齢ジャンパー７を取り外した状態のムーブメント２の斜視図であり、図９は、第二地板５を裏面側から見た底面図である。図１３は、月齢修正機構としての月齢修正伝えレバー５６及び月齢修正レバー５７並びにボタン５５を抜き出した図、図１４は、ボタン５５が押された状態の月齢修正伝えレバー５６及び月齢修正レバー５７と月齢車４０を示す図である。
【００４４】
図１５は、図２と同様の日ジャンパー６を取り外した状態のムーブメント２を示す図であり、切断線Ｊ−Ｋ，切断線Ｊ―Ｌ、切断線Ｉ―Ｃを示す。図１５のとおり、切断線Ｊ―Ｋは、ボタン５５、月齢修正レバー５７の受け孔５７Ｂ、ねじ５１レバー、ねじ受け部材６８（ねじ４１）、日修正車６５、修正レバー座９４（図５、図１４参照）を通る。切断線Ｊ−Ｌは、ピン５９（図９参照）及びねじ８１（図９参照）を通る。切断線Ｉ―Ｃは、第二カレンダー修正車６７、カレンダー修正車６６、日修正車６４，６５に伝わり、日星車６３を通る。図１６は、二つの切断線による断面図であり、第二地板５の表面側は、図１５における切断線Ｊ−Ｋによるムーブメント２の断面図であり、第二地板５の裏面側は図１５における切断線Ｊ―Ｌによる断面図である。図１７は図１５の切断線Ｉ―Ｃによるムーブメント２の断面図である。
【００４５】
図１３のとおり、月齢修正機構は、押圧部材としてのボタン５５が押圧された力を伝達するための月齢修正伝えレバー５６と、月齢修正伝えレバー５６と係合し連動することにより月齢車４０を回動させる修正レバーとしての月齢修正レバー５７を備える。
【００４６】
月齢修正伝えレバー５６は、軸方向と垂直な面に平行に設けられた伝えレバー本体板部５６Ｅと、弾性力を発生させる弾性部５６Ａと、ボタン５５が押圧された際に、そのボタンと接する受け部５６Ｂと、月齢修正レバー５７に係合するための係合部５６Ｄとを備える。また、図９のとおり、月齢修正伝えレバー５６は、第一の固定部材としてのねじ６０を回転中心として、第二地板５の裏面側の組込のための凹部５Ｅに回動可能に取り付けられる。また、月齢修正伝えレバー５６は、ピン５９により弾性部５６Ａがねじ６０側に撓まされる。図９においては弾性部５６Ａの弾性力により反時計方向の回転力が発生し、度決め部５６Ｃが第二地板５に当たることにより平面的な位置決めがされる。
【００４７】
月齢修正レバー５７は、軸方向と垂直な面に平行に設けられた修正レバー本体板部５７Ｄと、月齢修正伝えレバー５６の係合部５６Ｄと係合するための受け孔５７Ｂと、月齢車４０の歯に接するための修正部５７Ａと、後述の挿通孔５７Ｃとを備える。また、図１６のとおり、月齢修正レバー５７付近の第二の固定部材としてのねじ受け部材６８は、その段部に月齢修正レバー５７が接して月齢修正レバー５７の回転軸とし、ねじ受け部材６８の段部と月齢ジャンパー７により軸方向の位置決めがされている。また、図１６及び図１７のとおり、日ジャンパー６に案内される修正レバー座９４は、軸方向に月齢修正レバー５７を位置決めするとともに、そのダボ９４Ｃを月齢修正レバー５７の挿通孔５７Ｃに挿通させることにより、月齢修正レバー５７の作動するための軸方向のあがき（隙間）を確保している。
【００４８】
これら月齢修正レバー５７及び月齢修正伝えレバー５６の傾き防止構造について説明する。図１６のとおり月齢修正伝えレバー５６の伝えレバー本体板部５６Ｅと、そのレバー本体板部５６Ｅに設けられる回転中心となるねじ６０の挿通孔５６Ｆと、ボタン５５は、軸方向（図１６の上下方向）においてほぼ同じ位置に配置される。また、月齢修正レバー５７の修正レバー本体板部５７Ｄと、修正レバー本体板部５７Ｄに設けられる回転中心としてのねじ受け部材６８の挿通孔５７Ｅと、受け孔５７Ｂと、月齢車４０は、軸方向（図１６の上下方向）においてほぼ同じ位置に配置される。月齢修正伝えレバー５６から月齢修正レバー５７の力の伝達するための係合部５６Ｄが第二地板５を越えて月齢修正レバー５７の受け孔５７Ｂに向かって延出して形成される。このように、ボタン５５が押圧された際に、月齢修正伝えレバー５６伝えレバー本体板部５６Ｅと、その回転中心である挿通孔５６Ｆが同一平面上にあるため、月齢修正伝えレバー５６の軸方向のモーメントの発生が抑制され、月齢修正レバー５６の傾きが防止される。また、月齢修正レバー５７の修正レバー本体板部５７と、その回転中心である挿通孔５７Ｅと、受け孔５７Ｂと、月齢車４０とが略同一断面上となることで、ボタン５５が押圧された際に月齢修正レバー５７の軸方向のモーメントの発生を抑制することができる。係合部５６Ｄは、月齢修正伝えレバー５６から軸方向において位置の異なる月齢修正レバー５７へ回転力を伝達する。このため、ボタン５５と月齢車４０との軸方向の位置に差が存在しても、ボタン５５が押圧された時に各部材の軸方向のモーメントが発生することを抑制することが可能となる。このため、月齢修正伝えレバー５６及び月齢修正レバー５７が傾くことが防止され、部材の傾きによる作動不足などの作動の不具合を防ぐことが可能となる。
【００４９】
この月齢修正機構の動作について説明する。図１３のとおり、ボタン５５がユーザーにより矢印Ｓの方向に押圧されると、ボタン５５が受け部５６Ｂを押すことで、月齢修正伝えレバー５６に回転力が伝えられ、矢印Ｔの方向に回動する。そうすると、係合部５６Ｄと受け孔５７Ｂの係合により、月齢修正レバー５７は、矢印Ｕの方向に回動する。図１４のとおり、この方向に回動した月齢修正レバー５７は、先端付近の修正部５７Ａが月齢車４０の歯車に接することにより、月齢車４０が１歯分の回転をする。
【００５０】
このように月齢修正機構として、月齢修正伝えレバー５６及び月齢修正レバー５７を設けたため、日表示と月齢表示のための表示車（日星車６３及び月齢車４０）と、それらの回し車（日回し車６２及び月齢回し車５２）を同軸として同時に回転させつつ、月齢の修正は、日表示と連動せずに独自に入力することが可能となる。
【００５１】
また、ユーザーがボタン５５の押圧をやめるとボタン５５はボタンに形成された戻しばね（図示なし）で指定位置に戻され、これに伴い受け部５６Ｂに掛かる力が解除され図９において弾性部５６Ａの反時計方向の回転力により度決め位置に月齢修正伝えレバー５６が戻り、月齢修正伝えレバー５６と連動する月齢修正レバー５７も通常位置に復帰する。これによりボタン５５の押圧回数に応じて月齢車４０の歯数が修正される。また、ボタン５５が押圧された場合に、月齢修正伝えレバー５６の回転は、縁５６Ｅが第二地板５に接することで回転が規制されるので、過剰な力が月齢修正レバー５７に伝達されることはない。また、ボタン５５の押圧回数に応じて月齢車４０の歯数が修正されように構成としたことから、ボタンを押す回数で何日分を送るかを調整することができるため、ユーザーによって修正が簡単に行われることが可能である。例えば、修正する日の月齢が、新月又は月齢と何日分ずれているかの差分の情報をユーザーが入手すれば、ユーザーは修正の際に、月齢車４０の位置を新月あるいは満月に一旦合わせて、その日の月齢と何日分ずれているかの差分の数だけ数えながらボタンを押圧することが可能であり、間違いにくく確実に行うことができる。
【００５２】
なお、本実施の形態においては、月齢修正機構として、月齢修正伝えレバー５６及び月齢修正レバー５７の二つのレバーを備える構成としたが、一つのレバーの構成としてもよい。すなわち、月齢修正レバーを回動可能に設けて、その一つの月齢修正レバーにボタンからの力を受ける受け部と、月齢車と接する修正部を設けて、月齢修正機構としてもよい。
【００５３】
＜第一層の修正機構について＞
図９のとおり、第二地板５の裏側には第二カレンダー修正車６７のかなが配置されている。第二カレンダー修正車６７のかなの歯部には、ジャンパー６９が係合し、第二カレンダー修正車６７の歯部位置を規制し歯先位置が歯先どうしで当たらない位置とすることで図１１の小鉄車８５と一体化し回転するカレンダー修正伝え車との係合時の突っ張りを防止する。この第二カレンダー修正車６７は図１１において示すとおり、第二地板５を介して裏側にかな、表側に歯車が回転可能に配置されている。図９おいて、小鉄車８５と一体化し回転するカレンダー修正伝え車を仮想として示し、小鉄車８５と一体化し回転するカレンダー修正伝え車が第二カレンダー修正車６７と噛み合う様子を示す。
【００５４】
また、図８及び図１１のとおり、地板４と第二地板５の間の層（第一層）には、巻真８０と連動するおしどり８１、裏押さえ板８２、かんぬき８３、小鉄車８５を有する小鉄レバー８４が備えられる。図１８は、おしどり８１周辺において、裏押さえ板８２等を省略して、おしどり８１とかんぬき８３の位置関係を示した図である。図１９は、おしどり８１と小鉄レバー８４を示した図である。
【００５５】
図８のとおり、おしどり８１は、巻真８０と係合するおしどり作動部８１Ｃを備え、巻真８０が二段階引かれることにより、おしどり軸１０２を中心に搖動する。また、図８のとおり、おしどり規制軸８１Ａは裏押さえ板８２のおしどり規制部８２Ａと接していることにより、巻真８０が引かれて動き、おしどり８１がおしどり軸１０２を中心に搖動するのに伴い、おしどり規制軸８１Ａがおしどり規制部８２Ａ上を動き、その際、裏押さえ板８２が弾性変形するため、巻真８０が引かれるときにユーザーにクリック感を与える。
【００５６】
図１８のとおり、かんぬき８３は、かんぬき作動部８３Ｂと、つづみ車８６と係合するつづみ車８６と、かんぬき８３をばね力により付勢する弾性部８３Ｃとを備え、おしどり８１の下端は、かんぬき８３のかんぬき作動部８３Ｂと接している。巻真８０が引かれることにより、おしどり８１が搖動すると、おしどり８１の下端がかんぬき作動部８３Ｂ上を移動し、そのかんぬき作動部８３Ｂの凹凸に応じて、かんぬき軸８３Ａを中心にかんぬき８３が搖動する。
【００５７】
図１９のとおり、小鉄レバー８４は、小鉄車８５と、小鉄レバー軸８４Ｂと、おしどり８１の裏面側に突出して形成される小鉄レバー作動軸８１Ｂが挿入される小鉄レバー作動孔８４Ａを備える。巻真８０が移動すると、おしどり８１が搖動し、小鉄レバー作動軸８１Ｂが左に移動するのに伴い、小鉄レバー作動孔８４Ａの形状に応じて、小鉄レバー８４が小鉄レバー軸８４Ｂを中心に搖動する。
【００５８】
そして、巻真８０が一段引かれると、おしどり８１が図１８において時計回りに搖動し、おしどりの下端がかんぬき作動部８３Ｂを移動することで、かんぬき８１が時計回りに搖動し、かんぬき８３のかんぬき作動部８３Ｄによってつづみ車８６が図１８において下に移動し、つづみ車８６と小鉄車８５が噛み合う。そのとき図９で小鉄車８５を仮想的に示すとおり、小鉄車８５と第二カレンダー修正車６７は噛み合い状態のため、リュウズ２５に係合された巻真８０が左に回転すると、その回転力が、つづみ車８６、小鉄車８５、第二カレンダー修正車６７、カレンダー修正車６６、日修正車６４，６５に伝わり、日星車６３が回転する。これらにより日指示針２２の修正が可能である。
【００５９】
また、巻真８０が二段引かれた場合には、小鉄レバー８４により、小鉄車８５が日の裏車７４へ移動して噛み合い、かんぬき８３によりつづみ車８６が小鉄車８５に移動して噛み合うため、時間表示の修正が可能となる。時間修正の状態では小鉄車８５が日の裏車７４側に移動するため、第二カレンダー修正車６７との噛合いが外れ、日修正は行われない。
【００６０】
なお、巻真８０が引かれない場合には、きち車８７が不図示の丸穴車と噛み合い、丸穴車が回転することで、後述の香箱車７６を巻くように構成する。
【００６１】
図１１のとおり、日の裏車７４は、その歯車が１時間で一回転する筒かな７３及び筒車７０と噛み合い、筒かな７３の回転を減速して筒車７０へと伝達する。図１２は図２のＯ−Ｇ線のムーブメント２の断面図である。図１２に示すように、香箱車７６の巻き量を示すパワーリザーブ表示機構の構成要素であるパワーリザーブ伝え歯車４４が地板４と第二地板５の間に設けられている。また、パワーリザーブ表示筒４５の先端には、図１のパワーリザーブ針２４が設けられている。地板４の裏側には、香箱車７６が設けられ、香箱車７６の回転は、香箱車の歯車７６Ａと噛み合う二番車７２に伝達され、二番車７２と筒かな７３は、前述の時間修正の場合以外は同時回転する機構となっている。
【００６２】
＜第一弾性部及び第二弾性部＞
図６のとおり、日回し車６２は、第一の弾性部６２Ｄを備える。巻真８０と係合したリュウズ２５を操作して日修正を行う際に、日星車６３の歯が日回し爪６２Ｃと接しても、弾性部６２Ｄが弾性変形して、日回し車６２を回転させようとする力を逃がす。このため、日回し車６２の破損を防止することができる。
【００６３】
また、図６のとおり、月齢回し車５２は、第二の弾性部５２Ｄを備える。月齢を修正するためにボタン５５を押して月齢車４０を回転させた際に、月齢車４０の歯が、月齢回し爪５２Ｃと接しても、弾性部５２Ｄが弾性変形して、月齢回し車５２を回転させようとする力を逃がす。このため、月齢回し車５２の破損を防止することができる。また、これらの第一の弾性部６２Ｄ及び第二の弾性部５２Ｄにより、日修正及び月齢修正時に、日回し車６２及び月齢回し車５２が回転することがないため、日星車６３及び月齢車４０の相互に連動することなしに、独立して修正することが可能となる。
【００６４】
＜部分スケルトン部＞
図１の地板４の裏面側の部材が表面側から見える部分スケルトン部１６は、時計独特の機構をユーザーに見せるための装飾である。図８において、地板４は、第一の切欠き部４Ａを備える。また、図３のとおり、第二地板５は、第一の切欠き部４Ａを含みつつ重なる第二地板開口部５Ａを備える。更に図２のとおり、第二地板５に取付けられる化粧板８には、第一の切欠き部４Ａに重なるように第二の切欠き部８Ａが備えられる。また図１のとおり、文字板１０には第一の切欠き部４Ａと重なるように開口部１０Ｂが備えられる。これらの第一の切欠き部４Ａ、第二地板開口部５Ａ、第二の切欠き部８Ａを通じて、地板４の裏に位置するテンプ３６が表面側から見えるようになっている。
【００６５】
図２に示すとおり、平面視において、文字板１０の開口部１０Ａの内側では、地板４の少なくとも一部を化粧板８が覆うように、地板４の第一の切欠き部４Ａの内周よりも文字板１０の開口部１０Ａにおける内側に化粧板８の切欠き部８Ａの内周の少なくとも一部が位置するようになっている。
【００６６】
図４に示す通り、地板４の裏面側には、地板４に取付ける二番受３２が取り付けられ、二番受３２の下には一番受３１が取付けられる。また、二番受３２の下部にはテンプ受３３が取付けられる。また、地板４の裏側には、駆動部材の一つとしてのテンプ３６が取り付けられる。このテンプ３６は構成要素としてひげぜんまい３４、てん輪３５及び耐震軸受３９を含む。なお、この部分スケルトン部１６によって、表面側へ見せる部材は、テンプ３６以外の部材でもよいが、時計らしい印象を与えて外観を向上させるため、指針の運針、調速又は脱進に関する部材が好ましい。
【００６７】
この実施の形態によって、日星車６３と月齢車４０を同軸に案内するようにしたため、平面視において、省スペースが可能になった。併せて、それらの回し車である日回し車６２と月齢回し車５２を同軸にしたことにより、大幅な省スペースが可能となった。そのため、図１のとおり、月齢表示及び日表示を設けつつ、９時位置に部分スケルトン部１６を設け、１２時位置にパワーリザーブ用の表示小窓１５を設け、さらに３時位置には、小窓を設けない構成を実現することが可能となる。
【００６８】
また、歯車等の部材を案内や取り付けるための凹凸を備える第二地板５を設けたので、単なる押さえ板より、強度や凹凸を利用してより多くの部材を取付けることができるため、機能追加が容易になる。
【００６９】
また、月齢修正機構は、月齢修正伝えレバー５６と月齢修正レバー５７を備え、月齢修正伝えレバー５６がボタン５５からの力を受けるとともに、第二地板５と対向する縁５６Ｅが第二地板５と接する。よって月齢修正伝えレバー５６の可動範囲が規制されているため、月齢修正伝えレバー５６と係合する月齢修正レバー５７に過剰な力が伝達されることがないため、月齢修正レバー５７及び月齢車４０の破損を防止することができる。
【００７０】
＜第二実施形態＞
図２０は、本発明の第二実施形態の概略構成を示す図である。第一実施形態と同様の機能を有する部材や要素は同じ符号を用いて、説明を省略する。また、第一実施形態と同様に、図２０において図示は省略するが、時計１は、外装ケースと、カバーガラスと、裏蓋とを備えている。カバーガラスは、円盤状の文字板１０を覆うように外装ケースに取り付けられている。文字板１０は、ユーザーに情報を表示する表示部として時計１に備えられている。
【００７１】
＜曜表示用の小窓＞
第二実施形態においては、図２０のとおり、第一実施形態に加えて、文字板１０上の３時位置に第三の表示として曜表示用の小窓１７が設けられる。この小窓１７は、外周を７分割する表示領域２７が設けられている。これらの表示領域には、図示を省略するが、例えば「ＳＵ」、「ＭＯ」、「ＴＵ」、「ＷＥ」、「ＴＨ」、「ＦＲ」、「ＳＡ」等の日曜日から土曜日までの曜日を意味するための表記がされる。曜針２６は、これらの文字のいずれかを指標して曜表示を行う。
【００７２】
＜曜回し車＞
図２１は、ムーブメント２から月齢ジャンパー７を取り外した状態の図である。図２２は、ムーブメント２の斜視図である。図２１において、ムーブメント２は、第３の表示車としての曜表示車１１２と、曜表示車１１２を回すための第三の回し車としての曜回し車１３０とを備える。
【００７３】
図２５は、図２１における切断線Ｍ−Ｏによるムーブメント２の断面図である。図２３は、曜回し車１３０を構成する曜回し歯車１１０及び曜回し爪１１１に、軸１２０を加えた斜視図である。図２３のとおり、曜回し車１３０は、曜回し歯車１１０と曜回し爪１１１の二部材により構成される。曜回し爪１１１は、曜回し歯車１１０の方向へ突出して形成されるダボ１１１Ｂと、係止部１１１Ｃと、曜回し係合部１１１Ｄと、弾性部１１１Ｅと、中央の突部１１１Ａを備える。曜回し爪１１１は、その中央の突部１１１Ａを曜回し歯車１１０の中央孔１１０Ａに挿入することにより、曜回し歯車１１０を案内するとともに、ダボ１１１Ｂを曜回し歯車１１０のダボ受け孔１１０Ｂに挿入し、係止部１１１Ｃを係止部受け孔１１０Ｃに挿入することにより、曜回し歯車１１０と組合される。軸１２０は、曜回し爪１１１の中央孔１１１Ｆに挿入されることにより、曜回し爪１１１を案内する。図２５のとおり、軸１２０は、第二地板５に軸支される。曜回し車１３０は日ジャンパー６と月齢ジャンパー７によってあがき（隙間）を持って回転可能に位置決めがされる。
【００７４】
＜曜星車＞
図２１のとおり、曜回し車１３０の曜回し歯車１１０の歯が日回し中間車７１と噛みあっており、日回し中間車７１が回転すると、曜回し歯車１１０は、ダボ受け孔１１０Ｂ及び係止部受け孔１１０Ｃが曜回し爪１１１のダボ１１１Ｂ及び係止部１１１Ｃを押すことで、曜回し爪１１１を回転させる。また、日回し中間車７１は、１２時間で１周し、曜回し車１３０は２４時間で１周するよう減速される。曜回し車１３０が１回転すると、その曜回し爪１１１の曜回し係合部１１１Dは、曜星車１１２の歯と係合し、曜星車１１２を二歯分進める。曜星車１１２は、その軸に曜針２６が取付けられ、曜星車１１２が二歯分進むと曜表示が一日分進む。また、図２１のとおり、日ジャンパー６の躍制部６Ｃが曜星車１１２の歯と係合し、曜星車１１２の回転方向の位置決めを行う。このため、曜星車１１２は一日ごとに間欠的に回転可能である。また、図２６のとおり、躍制部６Ｃは日ジャンパー６とジャンパー座１３１によりあがき（隙間）を持って位置決めされる。
【００７５】
＜曜修正機構＞
図２１及び図２５のとおり、曜星車１１２は、曜修正車１１３と?み合っている。図２４は、日ジャンパー６を取外した状態でカレンダー修正車６６の動きを示した図である。図２４のとおり、カレンダー修正車６６は、その軸６６Ａを第二地板５の長孔５Ｆに挿入することによって、長孔５Ｆにより案内される。第一層の巻真８０が引かれた場合のおしどり等の機構は。図８に示した第一実施形態と同様であり、巻真８０が一段引かれた状態では、つづみ車８６が小鉄車８５と?み合い、小鉄車８５（カレンダー修正伝え車と一体化している）が、第二カレンダー修正車６７と?み合う。そして、巻真８０が時計回りに回されると、小鉄車８５を介して第二カレンダー修正車６７が平面視（図２４の紙面上）時計回りに回転することより、図２４の実線で示す通り、カレンダー修正車６６が日修正車６５側に移動し、日修正車６５と?み合うことによって、日星車６３が回転することにより、日修正がされる。巻真８０が反時計回りに回されると、小鉄車８５を介して第二カレンダー修正車６７が平面視において、反時計回りに回転する。第二カレンダー修正車６７が平面視において反時計回りに回転すると、図２４の仮想線で示すように、カレンダー修正車６６が曜修正車１１３側に移動するとともに、曜修正車１１３と?み合って回転する。このとき、曜修正車１１３は、カレンダー修正車６６及び曜星車１１２と同時に噛み合うため、曜星車が時計回りに回転する。これらの動作により、曜修正が可能となる。
【００７６】
曜修正車１１３が修正されて時計回りに回転するときに、曜回し車１３０の曜回し爪１１１の曜回し係合部１１１Dが、曜修正車１１３の歯と接すると、弾性部１１１Ｅは曜回し爪１１１の軸側へ弾性変形して、曜回し車１３０からの回転力を逃がす。このため曜修正車１１３が修正される際に、曜修正車１１３から曜回し車１３０へ逆回転しようとする力が伝達されることがない。従って、弾性部１１１Ｅにより、曜修正車１１３及びその噛み合っている部材が壊れることが防止される。また、係止部受け孔１１０Ｃは、曜修正の際に弾性部１１１Ｅが弾性変形しても係止部１１１Ｃの移動を許容するように、大きく形成されている。なお、図２１において、日ジャンパー６は、カレンダー修正車６６を表面側から押さえて軸方向について位置決めをする弾性部１１４を備える。
【００７７】
＜目印＞
図２７は、ムーブメント２を組立てる途中であって、日回し車６２を組込んだ直後の状態を示す図である。日回し車６２は所望のタイミングで日星車６３を回転させるように、日回し中間車７１との間で位相合わせをする必要がある。日回し車６２はその表面側に目印６２Ｅを備える。この目印６２Ｅが日回し中間車７１の軸へ向くように日回し車６２がセットされれば、所望の位相合わせがされるように、目印の位置があらかじめ表示される。この目印６２Ｅにより、組立作業者は、位相合わせを厳密に意識せずとも、組立作業において、目印６２Ｅの位置を合わせるのみで、位相合わせが可能となる。このため、組立作業が容易となる。なお、本実施形態においては、目印６２Ｅを日回し中間車７１の軸に向かせる目印としたが、目印６２Ｅ向かせる対象は、ムーブメント２が駆動する際に動かない部位であればよいため、別の対象に向かせるように目印６２Ｅを設定してもよい。
【００７８】
図２８は、ムーブメント２を組立てる途中において曜回し車１３０を組込んだ直後の図である。曜回し車１３０も、所望のタイミングで曜星車１１２を回転させる必要があるため、日回し中間車７１との間で位相合わせをする必要がある。この所望の位相合わせをするために、曜回し爪１１１の端部１１１Ｇが目印として設けられる。この端部１１１Ｇは、曜回し歯車１１０の係止部受け孔１１０Ｃを通じて上部から見える曜回し係合部１１１Dの反時計方向の端部であり、その直線の延長線上に月齢回し車５２の中央突出部５２Ｅがくるように曜回し爪１１１をセットすれば、位相合わせができるように設定されている。この端部１１１Ｇがセット時の目印になることにより、組立作業者は、位相合わせを厳密に意識せずとも、組立作業において、目印として端部１１１Ｇの位置を合わせるのみで、位相合わせが可能となる。このため、組立作業が容易となる。なお、目印として用いられる端部１１１Ｇは刻印や印刷に変えて、目印として表示してもよい。
【００７９】
図２９は、月齢案内座５４が日ジャンパー６に固定される場合の実施形態における、上述の図１０に相当する断面図である。（すなわち、図２のＯ―Ｂ―Ｃ―Ｄ―Ｅ切断線によるムーブメント２の断面図に相当する図である。）図２９においては、日ジャンパー６に設けられた案内部６Ｘは、日星車６３と同軸の孔をなす。月齢案内座５４は、立上り部５４Ａが月齢案内座５４の裏面側に延出した立下り部５４Ｘを備える。この案内部６Ｘに、月齢案内座５４の立下り部５４Ｘが嵌ることにより、月齢案内座５４が日ジャンパー６に固定される。月齢車４０は、月齢案内座５４と摺動可能に、立ち上り部５４Ａにより案内されて、日星車６３と同軸に取り付けられる。このように、月齢案内座５４が日ジャンパー６に固定され、月齢車４０が月齢案内座５４に対して摺動可能であっても、日星車６３と月齢車４０が軸方向に離れた状態で個別に同軸に回動することが可能である。
【００８０】
図３０は、月齢案内座５４が月齢車４０と一体に回転する場合の実施形態における、図１０に相当する断面図である。（すなわち、図２のＯ―Ｂ―Ｃ―Ｄ―Ｅ切断線によるムーブメント２の断面図に相当する図である。）図３０においては、日ジャンパー６に設けられた案内部６Ｘは、日星車６３と同軸の孔をなす。月齢案内座５４は、立上り部５４Ａが裏面側に延出した円筒状の立下り部５４Ｙを備える。この案内部６Ｘに、月齢案内座５４の立下り部５４Ｙが、案内部６Ｘにより案内され、月齢案内座５４が日ジャンパー６に摺動可能に取付けられる。月齢車４０は、月齢案内座５４の立ち上り部５４Ａに嵌められて日星車６３と同軸に取り付けられる。月齢車４０と月齢案内座５４は、互いに相対回転しないように取付けられる。月齢車４０と月齢案内座５４との固定方法については、例えば、両者を溶着して一体に回転するようにしてもよいし、固定爪やダボなどの係合手段によって互いを固定して一体に回転するようにしてもよいし、月齢車４０と月齢案内座５４を成形段階から一体に成形してもよい。このように、月齢案内座５４を日ジャンパー６と摺動回転可能とし、月齢車４０と月齢案内座５４が一体に回転する形態であっても、日星車６３と月齢車４０が軸方向に離れた状態で個別に同軸に回動することが可能である。
【００８１】
なお、本実施形態においては、日針の切り替わりと、月齢の切り替わりは、同じタイミングに合わせる。曜針の切り替わりは、日針及び月齢の切り替わりとタイミングがずれるように位相を合わせる。これらの３つの切り替わりが同時に行われると日回し中間車７１を介して香箱車７６に大きな負荷が加わるので、回避したほうが好ましいためである。例えば本実施形態においては、曜針の切り替わりは、日針及び月齢の切り替わりの後に、日回し中間車７１の歯において１歯分ずれて切り替わるように設定する。日回し中間車７１はその歯数が１８枚であるので、１歯のずれは時間にして４０分のずれとなる。
【００８２】
本実施形態によれば、曜修正車１１３を含む曜修正機構を設けたので、日修正及び月齢修正の機構と独立して、曜修正が可能となる。
【００８３】
本実施形態においては、第一の表示車を日星車６３とし、第二の表示車を月齢車４０とし、第三の表示車を曜星車１１２としたが、これらは入れ替えてもよいし、他の表示車としてもよい。
【００８４】
本発明は、機械式時計以外に、モーターによって駆動する時計にも適用することができる。また本発明は、上述の実施形態に限らず、本発明の要旨の範囲内において、具体的な構成については、種々の変更、付加が可能である。
【符号の説明】
【００８５】
１…時計、２…ムーブメント、４…地板、４Ａ…切欠き部、４Ｂ…外縁、５…第二地板、５Ａ…第二地板開口部、６…日ジャンパー（第一の押さえ部材）、６Ｂ…筒部（案内部）、７…月齢ジャンパー（第二の押さえ部材）、８…化粧板、８Ａ…切欠き部（第二の切欠き部）、８Ｃ…傾斜面、８Ｄ…延出片、１０…文字板、１０Ａ…開口部、１０Ｂ…開口部、１６…部分スケルトン部、３６…テンプ、３９…耐震軸受、４０…月齢車（第二の表示車）、５２月齢回し車（第二の回し車）、５２Ｃ…月齢回し爪（第二の回し爪）、５２Ｄ…第二の弾性部、５５…ボタン（押圧部材）、５７…月齢修正レバー（修正レバー）、６２…日回し車（第一の回し車）、６２Ｃ…日回し爪（第一の回し爪）、６２Ｄ…第一の弾性部、６２Ｅ…目印、６３…日星車（第一の表示車）。
【図１】
2018205133.tif 000003
【図２】
2018205133.tif 000004
【図３】
2018205133.tif 000005
【図４】
2018205133.tif 000006
【図５】
2018205133.tif 000007
【図６】
2018205133.tif 000008
【図７】
2018205133.tif 000009
【図８】
2018205133.tif 000010
【図９】
2018205133.tif 000011
【図１０】
2018205133.tif 000012
【図１１】
2018205133.tif 000013
【図１２】
2018205133.tif 000014
【図１３】
2018205133.tif 000015
【図１４】
2018205133.tif 000016
【図１５】
2018205133.tif 000017
【図１６】
2018205133.tif 000018
【図１７】
2018205133.tif 000019
【図１８】
2018205133.tif 000020
【図１９】
2018205133.tif 000021
【図２０】
2018205133.tif 000022
【図２１】
2018205133.tif 000023
【図２２】
2018205133.tif 000024
【図２３】
2018205133.tif 000025
【図２４】
2018205133.tif 000026
【図２５】
2018205133.tif 000027
【図２６】
2018205133.tif 000028
【図２７】
2018205133.tif 000029
【図２８】
2018205133.tif 000030
【図２９】
2018205133.tif 000031
【図３０】
2018205133.tif 000032